(57)【要約】      （修正有）【課題】カードの押し出し状態が多少の振動によっては損なわれることのない戻り防止機構を付加したプッシュプッシュ式コネクタの提供。【解決手段】スライダーと、該スライダーを押し出し方向に付勢する復帰バネと、ハートカム式のループ状をしたピンガイド溝１１と、一端が回動自在に支持され、他端側にピンガイド溝１１に挿入された摺動部を有し、１ピンガイド溝１１と重なる配置でスライダーのスライド方向側に向けて備えられたガイドピンとを有し、ピンガイド溝１１は、押し出し停止位置の両側に、左右に位置を違えた往路ガイド溝部１１Ａと復路ガイド溝部１１Ｂを有し、往路ガイド溝部の始端部分に、その溝底面を隆起させた形状の節度用登り傾斜部２０を一体に備えるとともに、該節度用登り傾斜部位置を前記ガイドピンの摺動部が通過する際に、該摺動部の上向き動作に抵抗を与える押し下げバネを備え、ガイドピンの摺動部に移動抵抗を付加させる。【選択図】図４
2011233324.tif 000002
【特許請求の範囲】
【請求項１】
カードと共にハウジング内を出入方向に移動可能なスライダーと、該スライダーを押し出し方向に付勢する復帰バネと、前記ハウジング又はスライダーの一方に形成したハートカム式のループ状をしたピンガイド溝と、該ハウジング又はスライダーの他方に対して一端が回動自在に支持され、他端側に前記ピンガイド溝に挿入された摺動部を有し、前記ピンガイド溝と重なる配置で前記スライダーのスライド方向側に向けて備えられたガイドピンとを有し、
前記スライダーのカードによる１回の押し込み操作によって所定の押し込み位置に停止し、次の押し込み動作によって押し込み停止位置での停止が解除されて押し出し停止位置に移動されるようにしてなるプッシュプッシュ式コネクタであって、
前記ピンガイド溝は、スライダーが最も押し出された位置にある際に前記ガイドピンの摺動部が位置している前記ピンガイド溝の押し出し停止位置の両側に、前記スライダーのスライド方向に対して左右に位置を違えた往路ガイド溝部と復路ガイド溝部を有し、
前記押し出し停止位置からの往路ガイド溝部の始端部分に、その溝底面を隆起させた形状の節度用登り傾斜部を一体に備えるとともに、該節度用登り傾斜部位置を前記ガイドピンの摺動部が通過する際に、該摺動部の上向き動作に抵抗を与える押し下げバネを備え、
前記節度用登り傾斜部と押し下げバネによって前記ガイドピンの摺動部に移動抵抗をあたえることによって、前記スライダーの押し出し位置から押し込み方向への移動を規制させるようにしたことを特徴としてなる戻り防止機構付プッシュプッシュ式コネクタ。
【請求項２】
前記押し下げバネは、前記ハウジングを構成しているシールドカバーを切り抜くことによって形成した請求項１に記載の戻り防止機構付プッシュプッシュ式コネクタ。
【請求項３】
前記両ガイド溝部は、前記押し出し停止位置の両側と戻り止め停止位置の両側において、互いに位置を左右逆とし、ガイドピンの摺動部が、ピンガイド溝内を８の字状に移動するようした請求項１又は２に記載の戻り防止機構付プッシュプッシュ式コネクタ。
【請求項４】
前記往路ガイド溝部と復路ガイド溝部とを、それぞれの全体を前記押し出し停止位置と戻り止め停止位置を結ぶ線の両側に位置させている請求項１又は２に記載の戻り防止機構付プッシュプッシュ式コネクタ。
【発明の詳細な説明】
【技術分野】
【０００１】
本発明は、ハートカム式のプッシュイン・プッシュイジェクト機構を用い、プッシュイジェクト後のプッシュイン側動作を規制するための戻り防止機構を備えた戻り防止機構付プッシュプッシュ式コネクタに関する。
【背景技術】
【０００２】
従来、同一方向の操作力の繰り返しによって押し込み動作と引き出し動作がなされるプッシュイン・プッシュイジェクト機構を使用したカードコネクタが広く採用されている。このプッシュイン・プッシュイジェクト機構の代表的なものとして、所謂ハートカム式機構が普及している（例えば特許文献１）。
【０００３】
この従来のハートカム式のプッシュイン・プッシュイジェクト機構は、図８及び図９に示すように、カードＡと共に往復移動するライダー１の押し込み方向側の先端とハウジング２との間に介在された復帰バネ３によって、常時押し出し方向に付勢されている。
【０００４】
スライダー１の表面にはピンガイド溝４があり、これはハート形をしたハートカム６の両側に、往路ガイド溝部４Ａと復路ガイド溝部４Ｂとが設けられ、この往路ガイド溝部４Ａと復路ガイド溝部４Ｂとの合流部に往復共通溝部４Ｃが設けられている。
【０００５】
このようなピンガイド溝４に、ガイドピン７の先端の摺動部７ｂが挿入されて、往路ガイド溝部４Ａと復路ガイド溝部４Ｂに沿って循環するようになっている。ピンガイド溝４及び該ピンガイド溝４内を摺動するガイドピンの摺動部７ｂによってプッシュイン・プッシュイジェクト機構８が構成されており、ガイドピンの摺動部７ｂが、これら往路ガイド溝部４Ａと復路ガイド溝部４Ｂと往復共通溝部４Ｃに沿って循環中に逆戻りしないように、往路ガイド溝部４Ａと復路ガイド溝部４Ｂと往復共通溝部４Ｃの底面には上って行って頂上で降下する移動方向規制用の段部９ａ，９ｂ，９ｃ，９ｄが４カ所に設けられている。
【０００６】
段部９ａは、往路ガイド溝部４Ａの末端側に達したガイドピンの摺動部７ｂが、往路ガイド溝部４Ａ側に戻らずにハートカム６の窪み部である戻り止め停止位置ｃに行くように設けられている。段部９ｂは、段部９ａを過ぎたガイドピン７が、段部９ａ側に戻らずにガイドピンの摺動部７ｂに行くように設けられている。段部９ｃは、戻り止め停止位置ｃから復路ガイド溝部４Ｂに進むガイドピンの摺動部７ｂが、戻り止め停止位置ｃに戻らないように設けられている。段部９ｄは、ハートカム６の先端部６ｂで復路ガイド溝部４Ｂの末端から往路ガイド溝部４Ａと往復共通溝部４Ｃとに入ったガイドピンの摺動部７ｂが、復路ガイド溝部４Ｂに戻らないように設けられている。
【０００７】
ガイドピンの摺動部７ｂは、押し出し状態、即ちカードが引き出し方向に移動されている状態では、押し出し停止位置ａにあり、カード押し込み動作、即ちプッシュイン動作によってプッシュイン押し込み動作末端停止位置ｂに行き、その位置で押し込み操作力を解除することにより戻り止め停止位置ｃに行き、係止解除のための再度のメモリーカード押し込み動作、即ちプッシュイジェクト動作によってプッシュイジェクト押し込み動作末端停止位置ｄに行き、その位置でスライダーの押し込み操作力を解除することにより、押し出し停止位置ａに戻るようになっている。
【０００８】
この種の従来のプッシュプッシュ式コネクタにおいては、例えばノートパソコンにおける通信用カードのように、電子機器にカードを一定長さだけ出入可能に装着しておき、カードが引き出された状態の時に、該カードの接続端子が電子機器の回路のカード接続端子と導通する構造のものにも使用されているが、この場合、カードが押し出し状態、即ち電子機器との回路接続状態にあるときに、振動によって押し出し状態から押し込み方向に移動し、瞬間的に回路が切断されることがあるという問題がある。
【０００９】
これを解決するために、カードの縁部に節度用の凹欠部を形成しておき、押し出し末端位置でこの凹欠部に節度バネが落とし込まれることによってカードの押し込み方向の動作を規制するようにしたものが開発されている（例えば特許文献２）。
【先行技術文献】
【特許文献】
【００１０】
【特許文献１】特開２００３−３１７８６１号公報
【特許文献２】特開２００５−２０９５７４号公報
【発明の概要】
【発明が解決しようとする課題】
【００１１】
上述したカードが押し出し状態にある時に押し込み方向への移動を規制する方法として、押し出し状態を維持する復帰バネのバネ圧を大きくすることが考えられるが、復帰バネのバネ圧を大きくすると、プッシュイン動作のための必要操作力が大きくなり、操作性が悪くなるという問題がある。
【００１２】
また、上述したカードの縁部に節度用の凹欠部を設けておき、これに節度バネを落とし込む方法では、カード縁部に節度バネが常時圧接されていることとなり、スムーズなイジェクト動作を得るには、復帰バネのバネ圧を大きくすることが必要となり、前述と同様の問題が生じる。
【００１３】
本発明は、このような従来の問題に鑑み、カードの押し出し状態が多少の振動によっては損なわれることのない戻り防止機構を、復帰バネ圧を大きくすることなく、且つ部品点数を多くすることなく付加した戻り防止機構付プッシュプッシュ式コネクタの提供を目的としてなされたものである。
【課題を解決するための手段】
【００１４】
上述の如き従来の問題を解決し、所期の目的を達成するための請求項1に記載の発明の特徴は、カードと共にハウジング内を出入方向に移動可能なスライダーと、該スライダーを押し出し方向に付勢する復帰バネと、前記ハウジング又はスライダーの一方に形成したハートカム式のループ状をしたピンガイド溝と、該ハウジング又はスライダーの他方に対して一端が回動自在に支持され、他端側に前記ピンガイド溝に挿入された摺動部を有し、前記ピンガイド溝と重なる配置で前記スライダーのスライド方向側に向けて備えられたガイドピンとを有し、前記スライダーのカードによる１回の押し込み操作によって所定の押し込み位置に停止し、次の押し込み動作によって押し込み停止位置での停止が解除されて押し出し停止位置に移動されるようにしてなるプッシュプッシュ式コネクタであって、
【００１５】
前記ピンガイド溝は、スライダーが最も押し出された位置にある際に前記ガイドピンの摺動部が位置している前記ピンガイド溝の押し出し停止位置の両側に、前記スライダーのスライド方向に対して左右に位置を違えた往路ガイド溝部と復路ガイド溝部を有し、前記押し出し停止位置からの往路ガイド溝部の始端部分に、その溝底面を隆起させた形状の節度用登り傾斜部を一体に備えるとともに、該節度用登り傾斜部位置を前記ガイドピンの摺動部が通過する際に、該摺動部の上向き動作に抵抗を与える押し下げバネを備え、前記節度用登り傾斜部と押し下げバネによって前記ガイドピンの摺動部に移動抵抗をあたえることによって、前記スライダーの押し出し位置から押し込み方向への移動を規制させるようにしたことを特徴としてなる戻り防止機構付プッシュプッシュ式コネクタにある。
【００１６】
請求項２に記載の発明の特徴は、請求項１の構成に加え、前記押し下げバネは、前記ハウジングを構成しているシールドカバーを切り抜くことによって形成したことにある。
【００１７】
請求項３に記載の発明の特徴は、請求項１又は２の構成に加え、前記両ガイド溝部は、前記押し出し停止位置の両側と戻り止め停止位置の両側において、互いに位置を左右逆とし、ガイドピンの摺動部が、ピンガイド溝内を８の字状に移動するようしたことにある。
【００１８】
請求項４に記載の発明の特徴は、請求項１又は２の構成に加え、前記往路ガイド溝部と復路ガイド溝部とを、それぞれの全体を前記押し出し停止位置と戻り止め停止位置を結ぶ線の両側に位置させていることにある。
【発明の効果】
【００１９】
本発明に係る戻り防止機構付プッシュプッシュ式コネクタは、所謂ハートカム式のプッシュイン・プッシュイジェクト機構を使用したプッシュプッシュ式コネクタにおいて、ピンガイド溝は、スライダーが最も押し出された位置にある際に前記ガイドピンの摺動部が位置している前記ピンガイド溝の押し出し停止位置の両側に、前記スライダーのスライド方向に対して左右に位置を違えた往路ガイド溝部と復路ガイド溝部を有し、
【００２０】
前記押し出し停止位置からの往路ガイド溝部の始端部分に、その溝底面を隆起させた形状の節度用登り傾斜部を一体に備えるとともに、該節度用登り傾斜部位置を前記ガイドピンの摺動部が通過する際に、該摺動部の上向き動作に抵抗を与える押し下げバネを備え、前記節度用登り傾斜部と押し下げバネによって前記ガイドピンの摺動部に移動抵抗をあたえることによって、前記スライダーの押し出し位置から押し込み方向への移動を規制させるようにしたことにより、復帰バネの押し出し力によってスライダーを押し出し方向に移動させる際には、節度用のぼり傾斜部の影響を全く受けることなく最終の押し出し末端位置まで移動され、この状態からスライダーが押し込み方向に移動される際に節度用のぼり傾斜部による抵抗を受けるため、復帰バネの負う圧力を大きくすることなく振動によるスライダーの移動を効果的に防止することができる。
【００２１】
また、カードの縁部に節度用の凹欠部を形成しておき、押し出し末端位置でこの凹欠部に節度バネが落とし込まれるようにした従来のものに比べ、スライダーの押し出し方向の動作時には、節度バネが常時接触していることによる移動抵抗が無いため、スライダーの移動の押し出し方向の移動がスムーズになされる。
【００２２】
本発明においては、前記押し下げバネを、前記ハウジングを構成しているシールドカバーを切り抜くことによって形成したことにより、部品点数を増やすことなく戻り防止機構を付加することができる。
【００２３】
本発明においては、前記両ガイド溝部は、前記押し出し停止位置の両側と戻り止め停止位置の両側において、互いに位置を左右逆とし、ガイドピンの摺動部が、ピンガイド溝内を８の字状に移動するようにすることにより、ガイドピンの摺動部の移動軌跡がスムーズな形状となるとともに、ピンガイド溝が占める面積を小さいものとできる。
【００２４】
本発明においては、前記往路ガイド溝部と復路ガイド溝部とを、それぞれの全体を前記押し出し停止位置と戻り止め停止位置を結ぶ線の両側に位置させることにより、溝底部の移動方向規制段部の数を少なくすることができ、耐久性の高いものとできる。
【図面の簡単な説明】
【００２５】
【図１】本発明に係る戻り防止機構付プッシュプッシュ式コネクタの一例を示すもので、モールドハウジング部分からシールドカバーを外した状態の分解斜視図である。
【図２】図１に示すコネクタのプッシュイン・プッシュイジェクト構造部分を示す縦断面図である。
【図３】同、部分省略平面図である。
【図４】同、ピンガイド溝を示す平面図である。
【図５】同、ピンガイド溝の傾斜部と移動方向規制段部を示す部分縦断面図である。
【図６】同、ピンガイド溝の節度用登り傾斜部分を示す部分縦断面図である。
【図７】同、ピンガイド溝の他の例を示す平面図である。
【図８】従来のプッシュプッシュ式コネクタの一例のシールドカバーを取り外した状態の平面図である。
【図９】同上のピンガイド溝部分を示す平面図である。
【発明を実施するための形態】
【００２６】
次に、本発明の実施の態様を、図１〜図７に示した実施例に基づいて説明する。
【００２７】
図においてＡはカードであり、１はスライダー、２はハウジング、３は復帰バネ、７はガイドピンである。ハウジング２は、モールドケース２ａとこれに重ね合わせたシールドカバー２ｂによって構成されている。
【００２８】
ガイドピン７は、図２に示すように、一端に上向きの枢軸部７ａが折り曲げ形成され、、これがスライダー１の枢支穴１０に挿入され、ガイドピン７の回動中心軸を構成している。ガイドピン７の回動側端部には、下向きに折り曲げられた摺動部７ｂが形成されており、これが後述するピンガイド溝１１内に挿入されている。
【００２９】
また、ガイドピン７は、ハウジング２を構成している金属製のシールドカバー２ｂに打ち抜きによって形成された押し下げバネ１２，１３によって回動側端部の摺動部７ｂが、ピンガイド溝１１内の後述する各段部の頂部より低い位置側に付勢されている。
【００３０】
ハウジング２を構成しているモールドケース２ａには、スライダー１が往復動する延長部の表面にピンガイド溝１１が形成されている。このピンガイド溝１１は、図４に示すように８の字状配置に連続した往路ガイド溝部１１Ａと復路ガイド溝部１１Ｂとから構成されている。
【００３１】
両ガイド溝部１１Ａ，１１Ｂは、スライダーが最も押し出された位置にある際にガイドピンの摺動部７ｂが位置している押し出し停止位置ａの両側及びハートカム６の両側即ち戻り止め停止位置ｃの両側においては、スライダー１のスライド方向に対して左右に位置を違えており、その中間部分は、両者共通の往復溝部１１Ｃとなっている。
【００３２】
また、両ガイド溝部１１Ａ，１１Ｂは、押し出し停止位置ａの両側とハートカム６の両側即ち戻り止め停止位置ｃの両側において、互いに位置を左右逆としている。
【００３３】
尚、ここにいう往路ガイド溝部１１Ａは、スライダー１が復帰バネ３によって最も押し出された時にガイドピンの摺動部７ｂが位置している場所、即ち押し出し停止位置ａからスライダー１が復帰バネ３に抗して押し込まれ、往復溝部１１Ｃを通り、押し込み位置で戻り止めされた時にガイドピンの摺動部７ｂが位置している場所、即ちハートカム６の窪み部である戻り止め停止位置ｃに至る間を言い、復路ガイド溝部１１Ｂは、前記摺動部７ｂが、前記戻り止め停止位置ｃから往復溝部１１Ｃを通り、押し出し停止位置ａに至る間を言う。
【００３４】
両ガイド溝部１１Ａ，１１Ｂには、戻り止め停止位置ｃより奥側、即ちスライダー押し出し側に、プッシュイン押し込み動作末端停止位置ｂ及びプッシュイジェクト押し込み動作末端停止位置ｄがある。
【００３５】
そして、スライダー１を最も押し出された位置からカードＡと共に押し込むプッシュイン動作によって、ガイドピンの摺動部７ｂは押し出し停止位置ａから往路ガイド溝部１１Ａに入り、プッシュイン押し込み動作末端停止位置ｂに至る。その状態で押し込み力を除くことによってスライダー１が復帰バネ３によって押し出されガイドピンの摺動部７ｂは、戻り止め停止位置ｃに至り、ハートカム６に係止されるこれによってスライダー１は戻り止めされ、押し込み停止位置にて停止されるようになっている。
【００３６】
この押し込み停止位置から押し出し動作、即ちスライダー１を押し込み方向に移動させると、ガイドピンの摺動部７ｂが戻り止め停止位置ｃから外れて復路ガイド溝部１１Ｂ側に移動してプッシュイジェクト押し込み動作末端停止位置ｄに至り、その押し込み操作を解除することによって、スライダー１は復帰バネ３の押し出し力によって押し出され、ガイドピンの摺動部７ｂは復路ガイド溝部１１内を移動して押し出し停止位置ａに至るようになっている。
【００３７】
このようにガイドピンの摺動部７ｂが、スライダー１を押し込み方向の操作を繰り返すことによってピンガイド溝１１内を循環させるために、各停止位置ａ，ｂ，ｃ，ｄの手前側の底面には、図４、図５に示すように、徐々に登り方向に傾斜した傾斜部１５と、各停止位置ａ，ｂ，ｃ，ｄに達した後にガイドピンの摺動部７ｂを次の停止位置に向かわせるための移動方向規制段部１６がそれぞれ形成されている。
【００３８】
また、往復溝部１１Ｃは、ガイドピンの摺動部７ｂの往動作時に往路ガイド溝部１１Ａから復路ガイド溝部１１Ｂへ、また復動作時に復路ガイド溝部１１Ｂから往路ガイド溝部１１Ａへ移動しないように、傾斜部１５と移動方向規制段部１６が形成されている。
【００３９】
上述したピンガイド溝１１には、ガイドピンの摺動部７ｂが、押し出し停止位置ａから往路ガイド溝部１１Ａ内を移動し始める際の動作を規制する節度用登り傾斜部２０が一体に備えられている。
【００４０】
この節度用登り傾斜部２０は、押し出し停止位置aからの往路ガイド溝部１１Ａの始端部分の溝底面に形成されており、図６に示すように、溝底面を摺動部７ｂが進行する方向側を登り傾斜になるように隆起させた形状に形成されている。
【００４１】
また、この節度用登り傾斜部２０をガイドピンの摺動部７ｂが通過する際に、該摺動部７ｂの上向きの動作に抵抗を与える節度用の押し下げバネが備えられている。この節度用の押し下げバネは、前述したシールドカバー２ｂに打ち抜きによって形成された押し下げバネ１３と共用させている。
【００４２】
この節度用押し下げバネ１３と前記節度用登り傾斜部２０とによって戻り防止機構が構成されており、図６に示すように、ガイドピンの摺動部７ｂが押し出し停止位置aから往路ガイド溝部１１Ａに移動して、この節度用登り傾斜部２０にさしかかると、その登り傾斜によって摺動部７ｂが上向きに移動されるが、この動作を節度用押し下げバネ１３によって弾性的に押さえることによって摺動部７ｂに移動抵抗が与えられ、移動抵抗が与えられるようになっている。
【００４３】
この移動抵抗力は、節度用登り傾斜部２０の傾斜角度及び節度用押し下げバネ１３の弾性係数によって予め設定することができ、プッシュイン操作時におけるカードＡを介したスライダー１に対する押し込み操作力より小さく、かつ、通常の振動によって加わる一定以下の外力よりは大きい値に予め設定しておく。
【００４４】
このように構成される戻り防止機構付プッシュプッシュ式コネクタにあっては、スライダー１が押し出し方向に動作され、ガイドピンの摺動部７ｂが、復路ピンガイド溝１１Ｂ内を押し出し停止位置aに戻る際には、移動方向規制段部１６を乗り越えるため以外の抵抗を受けないが、押し出し停止位置aから押し込み方向側に移動する際にのみ、節度用登り傾斜部２０を乗り越えて通過するための抵抗を受けるようにしたことによって、通常の振動によるスライダー押しこみ方向の外力に対し、該バネ片２０をもって対抗させることができ、不慮のカード押し込み動作が防止できる。
【００４５】
一方、通常のプッシュイン操作においては、作業者による比較的大きな操作力が作用するため、バネ片２０弾性的に往路ピンガイド溝１１Ａ上から外れる位置に変形させることができ、プッシュイン操作に大きな影響を及ぼすことがない。
【００４６】
尚、上述した実施例では、往路ガイド溝部１１Ａと復路ガイド溝部１１Ｂに、両者共通の往復溝部１１Ｃを設けているが、この他、図７に示すように、往路ガイド溝部１１Ａと復路ガイド溝部１１Ｂとを共通部分を設けることなく、全体の位置を左右に分けて位置させても良い。
【符号の説明】
【００４７】
１  スライダー
２  ハウジング
２ａ  モールドハウジング
２ｂ  シールドカバー
３  復帰バネ
６  ハートカム
７  ガイドピン
７ａ  枢軸部
７ｂ  摺動部
１０  枢支穴
１１  ピンガイド溝
１１Ａ  往路ガイド溝部
１１Ｂ  往路ガイド溝部
１１Ｃ  往復溝部
１２，１３  押し下げバネ
１５  傾斜部
１６  移動方向規制段部
２０  節度用登り傾斜部
ａ  押し出し停止位置
ｂ  プッシュイン押し込み動作末端停止位置
ｃ  戻り止め停止位置
ｄ  プッシュイジェクト押し込み動作末端停止位置
【図１】
2011233324.tif 000003
【図２】
2011233324.tif 000004
【図３】
2011233324.tif 000005
【図４】
2011233324.tif 000006
【図５】
2011233324.tif 000007
【図６】
2011233324.tif 000008
【図７】
2011233324.tif 000009
【図８】
2011233324.tif 000010
【図９】
2011233324.tif 000011